(57)【要約】【課題】  入力されたカラー画像データをモノクロ画像データに変換してプリントする一方、元のカラー画像データをカラーで確認したい場合があるというユーザの要望に簡単な操作で対応できる、経済性及び操作性共に優れた画像処理システム及び画像処理装置を提供すること。【解決手段】  カラー画像データ識別情報を所定の形態で処理対象モノクロ画像データに付加して記録媒体にプリントして出力する一方、入力された原稿画像データから前記カラー画像データ識別情報を抽出してその抽出された前記カラー画像データ識別情報に対応するカラー画像データを画像データ記憶手段から読み出して所定の形態で可視出力することを特徴とする。【選択図】    図１
2006217545.tif 000002
【特許請求の範囲】
【請求項１】
カラー画像データを入力するカラー画像入力手段と、
前記カラー画像入力手段により入力された処理対象カラー画像データを特定するたの所定のカラー画像データ識別情報を生成する識別情報生成手段と、
その識別情報生成手段が生成したカラー画像データ識別情報を前記処理対象カラー画像データと対応付けて記憶する画像データ記憶手段と、
前記処理対象カラー画像データに基づいて処理対象モノクロ画像データを生成するモノクロ画像生成手段と、
前記カラー画像データ識別情報を所定の形態で前記処理対象モノクロ画像データに付加して記録媒体にプリントして出力するモノクロ画像出力手段とを備える一方、
セットされた原稿を読み取って原稿画像データを入力する原稿画像読取手段と、
当該原稿画像読取手段により入力された前記原稿画像データから前記カラー画像データ識別情報を抽出する識別情報抽出手段と、
当該識別情報抽出手段により抽出された前記カラー画像データ識別情報に対応するカラー画像データを前記画像データ記憶手段から読み出して所定の形態で可視出力するカラー画像出力手段と
を備えたことを特徴とする画像処理システム。
【請求項２】
カラー画像データを入力するカラー画像入力手段と、
前記処理対象カラー画像データに基づいて処理対象モノクロ画像データを生成するモノクロ画像生成手段と、
前記モノクロ画像生成手段により作成されたモノクロ画像データそのものまたは当該モノクロ画像データから抽出した特徴情報をカラー画像データ識別情報として生成する識別情報生成手段と、
その識別情報生成手段が生成したカラー画像データ識別情報を前記処理対象カラー画像データと対応付けて記憶する画像データ記憶手段とを備える一方、
セットされた原稿を読み取ってモノクロ原稿画像データを入力する原稿画像読取手段と、
当該原稿画像読取手段により入力された前記モノクロ原稿画像データそのものまたは当該モノクロ原稿画像データから抽出した特徴情報を前記カラー画像データ識別情報として抽出する識別情報抽出手段と、
当該識別情報抽出手段により抽出された前記カラー画像データ識別情報を前記画像データ記憶手段に記憶されている各カラー画像データ識別情報と照合して対応するカラー画像データを特定して前記画像データ記憶手段から読み出して所定の形態で可視出力するカラー画像出力手段と
を備えたことを特徴とする画像処理システム。
【請求項３】
前記カラー画像入力手段は、通信相手から送信されてくるカラー画像データを受信することにより、当該カラー画像データを入力するものであることを特徴とする請求項１または２のいずれかに記載の画像処理システム。
【請求項４】
前記カラー画像入力手段は、セットされた原稿画像をカラー読み取りすることによりカラー画像データを入力するものであることを特徴とする請求項１または２のいずれかに記載の画像処理システム。
【請求項５】
前記カラー画像出力手段は、前記画像データ記憶手段から読み出したカラー画像データを記録媒体にカラープリントすることにより可視出力するものであることを特徴とする請求項１ないし４のいずれかに記載の画像処理システム。
【請求項６】
前記カラー画像出力手段は、前記画像データ記憶手段から読み出したカラー画像データを表示装置にカラー表示することにより可視出力するものであることを特徴とする請求項１ないし４のいずれかに記載の画像処理システム。
【請求項７】
前記モノクロ画像出力手段は、前記カラー画像データ識別情報を内容として含むバーコード画像データを作成してその作成したバーコード画像データを前記処理対象モノクロ画像データに付加して記録媒体にプリントして出力するものである一方、
前記識別情報抽出手段は、前記原稿画像読取手段により入力された前記原稿画像データが含む前記バーコード画像データから前記カラー画像データ識別情報を抽出するものであることを特徴とする請求項１、または、３ないし６のいずれかに記載の画像処理システム。
【請求項８】
前記モノクロ画像出力手段は、前記カラー画像データ識別情報を内容として含む２次元コード画像データを作成してその作成した２次元コード画像データを前記処理対象モノクロ画像データに付加して記録媒体にプリントして出力するものである一方、
前記識別情報抽出手段は、前記原稿画像読取手段により入力された前記原稿画像データが含む前記２次元コード画像データから前記カラー画像データ識別情報を抽出するものであることを特徴とする請求項１、または、３ないし６のいずれかに記載の画像処理システム。
【請求項９】
前記モノクロ画像出力手段は、前記カラー画像データ識別情報を電子透かしデータとして前記処理対象モノクロ画像データに付加して記録媒体にプリントして出力するものである一方、
前記識別情報抽出手段は、前記原稿画像読取手段により入力された前記原稿画像データが含む前記電子透かしデータから前記カラー画像データ識別情報を抽出するものであることを特徴とする請求項１、または、３ないし６のいずれかに記載の画像処理システム。
【請求項１０】
請求項１ないし９のいずれかに記載の画像処理システムの構成を備えたことを特徴とする画像処理装置。
【発明の詳細な説明】
【技術分野】
【０００１】
本発明は、画像処理システム、及び、画像処理装置に関し、特に、入力されたカラー画像データのプリント出力に関連する制御に関する。
【背景技術】
【０００２】
カラー画像対応のファクシミリ装置等の、構成としてカラー画像伝送装置を含み、それを使用して遠隔地の通信相手装置との間でカラー画像データ通信を行う装置において、相手装置から受信したカラー画像データを記録紙に自動的にカラープリントする場合、受信画像の中には、受取り人が望まない種類のものがある。具体的には、広告画像、迷惑画像等である。
【０００３】
また、受信したカラー画像データや、読み取ったカラー画像データの中には、ユーザにとってはモノクロプリントで十分なものも含まれるが、従来は、カラー画像データが受信されたり読み取られたりすれば、無条件にカラープリントされてしまうため、カラープリントする必要のない受信カラー画像データや読み取られた画像データのカラープリントのために、カラーインクまたはカラートナー等の消耗品を無駄に浪費してしまう場合があった。
【０００４】
また、受信したり読み取って得たカラー画像データをモニターに表示して見る場合に、紙に記録された画像も参照した方が作業効率が向上する場合があるが、この場合、色情報はモニターで確認できるため、紙への記録はモノクロ画像で十分であるという場合があった。
【０００５】
本願発明に関連する公知技術としては、特許文献１を挙げることができる。
【特許文献１】特開２００３−３１９１１１号公報
【発明の開示】
【発明が解決しようとする課題】
【０００６】
しかし、特許文献１に記載の技術では、通信により受信したカラー画像データをモノクロ画像データに変換してプリントするが、カラー画像をプリントする場合にはユーザは管理番号を入力しなければならず、プリント指定のための操作が煩わしいという問題があった。
【０００７】
また、書籍やカタログ等の、紙面をスキャナで読み取り、そのカラー画像データを装置内の記憶装置や、ネットワークを介して接続された外部のサーバ装置に記憶させておき、後でその画像をプリントする場合に、従来は管理番号を入力しなければならず、プリント指定のための操作が煩わしいという問題があった。
【０００８】
本発明は係る事情に鑑みてなされたものであり、入力されたカラー画像データをモノクロ画像データに変換してプリントする一方、元のカラー画像データをカラーで確認したい場合があるというユーザの要望に簡単な操作で対応できる、経済性及び操作性共に優れた画像処理システム及び画像処理装置を提供することを目的とする。
【課題を解決するための手段】
【０００９】
請求項１に記載の画像処理システムは、カラー画像データを入力するカラー画像入力手段と、前記カラー画像入力手段により入力された処理対象カラー画像データを特定するたの所定のカラー画像データ識別情報を生成する識別情報生成手段と、その識別情報生成手段が生成したカラー画像データ識別情報を前記処理対象カラー画像データと対応付けて記憶する画像データ記憶手段と、前記処理対象カラー画像データに基づいて処理対象モノクロ画像データを生成するモノクロ画像生成手段と、前記カラー画像データ識別情報を所定の形態で前記処理対象モノクロ画像データに付加して記録媒体にプリントして出力するモノクロ画像出力手段とを備える一方、セットされた原稿を読み取って原稿画像データを入力する原稿画像読取手段と、当該原稿画像読取手段により入力された前記原稿画像データから前記カラー画像データ識別情報を抽出する識別情報抽出手段と、当該識別情報抽出手段により抽出された前記カラー画像データ識別情報に対応するカラー画像データを前記画像データ記憶手段から読み出して所定の形態で可視出力するカラー画像出力手段とを備えたことを特徴とする。
【００１０】
請求項２に記載の画像処理システムは、カラー画像データを入力するカラー画像入力手段と、前記処理対象カラー画像データに基づいて処理対象モノクロ画像データを生成するモノクロ画像生成手段と、前記モノクロ画像生成手段により作成されたモノクロ画像データそのものまたは当該モノクロ画像データから抽出した特徴情報をカラー画像データ識別情報として生成する識別情報生成手段と、その識別情報生成手段が生成したカラー画像データ識別情報を前記処理対象カラー画像データと対応付けて記憶する画像データ記憶手段とを備える一方、セットされた原稿を読み取ってモノクロ原稿画像データを入力する原稿画像読取手段と、当該原稿画像読取手段により入力された前記モノクロ原稿画像データそのものまたは当該モノクロ原稿画像データから抽出した特徴情報を前記カラー画像データ識別情報として抽出する識別情報抽出手段と、当該識別情報抽出手段により抽出された前記カラー画像データ識別情報を前記画像データ記憶手段に記憶されている各カラー画像データ識別情報と照合して対応するカラー画像データを特定して前記画像データ記憶手段から読み出して所定の形態で可視出力するカラー画像出力手段とを備えたことを特徴とする。
【００１１】
請求項３に記載の画像処理システムは、請求項１または２のいずれかに記載の画像処理システムにおいて、前記カラー画像入力手段は、通信相手から送信されてくるカラー画像データを受信することにより、当該カラー画像データを入力するものであることを特徴とする。
【００１２】
請求項４に記載の画像処理システムは、請求項１または２のいずれかに記載の画像処理システムにおいて、前記カラー画像入力手段は、セットされた原稿画像をカラー読み取りすることによりカラー画像データを入力するものであることを特徴とする。
【００１３】
請求項５に記載の画像処理システムは、請求項１ないし４のいずれかに記載の画像処理システムにおいて、前記カラー画像出力手段は、前記画像データ記憶手段から読み出したカラー画像データを記録媒体にカラープリントすることにより可視出力するものであることを特徴とする。
【００１４】
請求項６に記載の画像処理システムは、請求項１ないし４のいずれかに記載の画像処理システムにおいて、前記カラー画像出力手段は、前記画像データ記憶手段から読み出したカラー画像データを表示装置にカラー表示することにより可視出力するものであることを特徴とする。
【００１５】
請求項７に記載の画像処理システムは、請求項１、または、３ないし６のいずれかに記載の画像処理システムにおいて、前記モノクロ画像出力手段は、前記カラー画像データ識別情報を内容として含むバーコード画像データを作成してその作成したバーコード画像データを前記処理対象モノクロ画像データに付加して記録媒体にプリントして出力するものである一方、前記識別情報抽出手段は、前記原稿画像読取手段により入力された前記原稿画像データが含む前記バーコード画像データから前記カラー画像データ識別情報を抽出するものであることを特徴とする。
【００１６】
請求項８に記載の画像処理システムは、請求項１、または、３ないし６のいずれかに記載の画像処理システムにおいて、前記モノクロ画像出力手段は、前記カラー画像データ識別情報を内容として含む２次元コード画像データを作成してその作成した２次元コード画像データを前記処理対象モノクロ画像データに付加して記録媒体にプリントして出力するものである一方、前記識別情報抽出手段は、前記原稿画像読取手段により入力された前記原稿画像データが含む前記２次元コード画像データから前記カラー画像データ識別情報を抽出するものであることを特徴とする。
【００１７】
請求項９に記載の画像処理システムは、請求項１、または、３ないし６のいずれかに記載の画像処理システムにおいて、前記モノクロ画像出力手段は、前記カラー画像データ識別情報を電子透かしデータとして前記処理対象モノクロ画像データに付加して記録媒体にプリントして出力するものである一方、前記識別情報抽出手段は、前記原稿画像読取手段により入力された前記原稿画像データが含む前記電子透かしデータから前記カラー画像データ識別情報を抽出するものであることを特徴とする。
【００１８】
請求項１０に記載の画像処理装置は、請求項１ないし９のいずれかに記載の画像処理システムの構成を備えたことを特徴とする。
【発明の効果】
【００１９】
請求項１に係る発明によれば、本発明に係るシステムに入力されたカラー画像データを無条件に記録紙等の記録媒体にプリントして出力せず、入力されたカラー画像データの内容を基本的に自動的にモノクロ画像としてプリントするようにすることで、カラー画像のプリント時に必要となる、カラー画像を構成する各色成分の記録剤、具体的には、例えば、プリント方式がインクジェット方式なら、カラーインク、電子写真方式ならカラートナー、熱転写方式ならカラーインクリボンの消費を抑えることができる。その場合、入力されたカラー画像がモノクロ画像としてプリントされても、画像内容の把握は十分に行うことができる。そして、もし、システムに入力されカラー画像データがモノクロプリントされた後、カラーで元のカラー画像の内容を確認したいとユーザが所望した場合には、モノクロプリントされた記録媒体を原稿として本発明に係るシステムに読み取らせるという簡単な操作を行えば、元のカラー画像を指定するための煩雑な操作なしに当該元のカラー画像をカラーで見ることが可能となり、システムに入力されカラー画像データがモノクロプリントされることによる、プリントコストの低減と、ユーザが元の画像をカラーで確認したい場合への対応とを両立した経済的かつ利便性の高い画像処理システムを実現するこが可能となる。
【００２０】
請求項２に係る発明によれば、請求項１に係る発明と同様の効果を、プリントされるモノクロ画像データに、元のカラー画像データが含んでいた以外の情報である前記カラー画像データ識別情報を付加することなしに得ることができ、前記カラー画像データ識別情報を付加しない分、プリントされるモノクロ画像データの見た目を損なうことがなく、また、付加した前記カラー画像データ識別情報の抽出ミスによる弊害を避けることができる利点がある。
【００２１】
請求項３に係る発明によれば、通信によりカラー画像データが入力される場合に請求項１または２に係る発明を適用することができる。
【００２２】
請求項４に係る発明によれば、自ら原稿を読み取って入力したカラー画像データについて請求項１または２に係る発明を適用することができる。
【００２３】
請求項５に係る発明によれば、前記カラー画像出力手段が、カラー画像データを記録媒体にカラープリントすることで、当該カラー画像データを可視出力するものである場合に、請求項１ないし４に係る発明を適用することができる。
【００２４】
請求項６に係る発明によれば、前記カラー画像出力手段が、カラー画像データを表示装置にカラー表示することで、当該カラー画像データを可視出力するものである場合に、請求項１ないし４に係る発明を適用することができる。
【００２５】
請求項７に係る発明によれば、前記カラー画像データ識別情報をバーコードとして、プリントされるモノクロ画像データに付加できる一方、読み取って元の前記カラー画像データ識別情報を抽出することが可能となる。
【００２６】
請求項８に係る発明によれば、前記カラー画像データ識別情報を２次元コードとして、プリントされるモノクロ画像データに付加できる一方、読み取って元の前記カラー画像データ識別情報を抽出することが可能となる。
【００２７】
請求項９に係る発明によれば、前記カラー画像データ識別情報を電子透かしデータとして、プリントされるモノクロ画像データに付加できる一方、読み取って元の前記カラー画像データ識別情報を抽出することが可能となる。
【００２８】
請求項１０に係る発明によれば、請求項１ないし９のいずれかに記載の発明の効果を画像装置において得ることができる。
【発明を実施するための最良の形態】
【００２９】
以下、添付図面を参照しながら、本発明を実施するための最良の形態について説明する。
【００３０】
図１に、本発明を実施するための最良の形態に係る画像処理装置としての複合機１のブロック構成について示す。
【００３１】
同図において、複合機１は、ＣＰＵ１０、メインメモリ１１、ＲＯＭ（Ｒｅａｄ  Ｏｎｌｙ  Ｍｅｍｏｒｙ）１２、クロック１３、バスコントローラ１４、ＰＣＩ（Peripheral Component Interconnect）ブリッジ１５、キャッシュメモリ１６、スキャナコントローラ１７、スキャナ１８、プリントコントローラ１９、プリントエンジン２０、ハードディスク２１、ＨＤ（Hard Disk）コントローラ２２、ＬＣＤ表示コントローラ２３、ＬＣＤ２４、ＬＡＮコントローラ２５、ＬＡＮ    Ｉ／Ｆ（Interface）２６、Ｇ３ＦＡＸコントローラ２７、ＰＳＴＮ（Public Switched Telephone Network）  Ｉ／Ｆ２８、キー入力コントローラ２９、ハードキー３０、タッチパネルコントローラ３１、タッチパネル３２、ＲＴＣ（Real Time Clock）３３、ＣＰＵバス３４、ＰＣＩバス３５、Ｘバス（内部バス）３６等から構成されている。
【００３２】
ＣＰＵ１０は、ＲＯＭ１２に記憶された制御処理プログラムやＯＳ（Operating System）を実行、処理する。
【００３３】
メインメモリ１１は、ＤＲＡＭ（Dynamic Random Access Memory）より構成されており、ＣＰＵ１０のワークエリア等で使用される。
【００３４】
ＲＯＭ１２は、電源オン時のシステム立ち上げや複合機１の機能を実現するための各種プログラムが予め書き込まれている。
【００３５】
クロック１３は、水晶発振子と分周回路から構成されており、ＣＰＵ１０やバスコントローラ１４の動作タイミングを制御するためのクロックを生成している。
【００３６】
バスコントローラ１４は、ＣＰＵバス３４とＸバス３６でのデータ転送を制御する。
ＰＣＩブリッジ１５は、キャッシュメモリ１６を使用して、ＰＣＩバス３５とＣＰＵ１０との間のデータ転送を行う。
【００３７】
キャッシュメモリ１６は、ＤＲＡＭより構成されており、ＰＣＩブリッジ１５により使用される。
【００３８】
スキャナコントローラ１７はスキャナ１８の原稿読み取り動作を制御する。
【００３９】
スキャナ１８は、ＣＣＤラインセンサにより紙面画像を読み取る。
【００４０】
プリントコントローラ１９はプリントエンジン２０の動作を制御する。
【００４１】
プリントエンジン２０はトナーを使用して、紙面にカラー画像またはモノクロ画像を作成する。
【００４２】
ハードディスク２１は、スキャナ１８から入力された画像データや通信により受信した画像データ、またカラー画像データの識別情報であるバーコードデータ等を記憶する。
【００４３】
ＨＤコントローラ２２は、ハードディスク２１とのインタフェースとして例えばＩＤＥ（Integrated Device Electronics）インタフェースを持ち、ハードディスク２１と高速データ転送を行う。
【００４４】
ＬＣＤ表示コントローラ２３は、文字データやグラフィックデータ等をＤ／Ａ（Digital/Analog）変換するとともに、これらのデータをＬＣＤ２４に表示するための制御を行う。
【００４５】
ＬＡＮコントローラ２５は例えばＩＥＥＥ（Institute of Electrical and Electronics Engineers）８０２．３規格に準拠した通信プロトコルを実行して、ＬＡＮ  Ｉ／Ｆ２６を介してイーサネットに接続された他の機器との通信を制御する。
【００４６】
Ｇ３ＦＡＸコントローラ２７は内蔵されたモデムを使用してＧ３ＦＡＸモデム信号の送受信を行うことにより、ＩＴＵ−Ｔ勧告Ｔ．３０に従ったＧ３ＦＡＸ通信を実行する。また、Ｇ３ＦＡＸコントローラ２７はＩＴＵ−Ｔ勧告Ｔ．３０  Ａｎｎｅｘ  Ｅ（ＴＴＣ標準ＪＴ−Ｔ３０  付属資料Ｄ）に従って、Ｇ３ＦＡＸモードでカラー画像データを送受信することができる。
【００４７】
キー入力コントローラ２９は、ハードキー３０から入力されたシリアルデータからパラレルデータへの変換を行う。
【００４８】
タッチパネルコントローラ３１は、タッチパネル３２上で指等の物体が接触した部分を検出し、その位置情報を取り込む。タッチパネル３２はＬＣＤ２４と重ね合わせて密着している。
【００４９】
ＲＴＣ３３は日付時計であり、図示していないバッテリーによりバックアップされている。
【００５０】
以下に示す各実施例の動作処理は特に明記しない限り、ＣＰＵ１０がＲＯＭ１２に記憶された制御処理プログラムに従い、メインメモリ１１をワークエリアとして使用して実行、処理する。
【００５１】
図２に、画像処理装置１における画像データ入力対応処理手順について示す。
【００５２】
同図において、先ず、モノクロまたはカラーの画像データの入力を監視する。具体的には、画像データが受信されるか、または、原稿がスキャナ１８にセットされるかを監視する（判断Ｓ１０１のＮｏ、判断Ｓ１０２のＮｏのループ）
【００５３】
判断Ｓ１０１の受信は、具体的には、Ｇ３ＦＡＸコントローラ２７による、ＰＳＴＮ２００を介したＧ３ファクシミリ通信による受信や、ＬＡＮ３００を介したＩＴＵ−Ｔ勧告Ｔ．３８に基づいたリアルタイムネットワークファクシミリ通信による受信や、ＩＴＵ−Ｔ勧告Ｔ．３７に基づいた電子メール型ネットワークファクシミリ通信による受信や、ＬＡＮ３００を介して接続された他のＰＣ（パーソナルコンピュータ）からのＳＯＡＰプロトコル等によりプリント依頼に係る画像データの受信等があり、要するに、画像処理装置１以外の他装置またはシステムからの画像データの受信一般を意味する。Ｇ３ファクシミリ通信によるカラー画像データの通信については、ＩＴＵ−Ｔ勧告Ｔ．３０  Ａｎｎｅｘ  Ｅに規定されている。
【００５４】
なお、複合機１のＧ３ＦＡＸコントローラ２７がＩＴＵ−Ｔ勧告Ｔ．３０  Ａｎｎｅｘ  Ｅに従ってＧ３ＦＡＸ通信によりカラー画像データを受信すると、ＣＰＵ１０はこの画像データを一意に特定できる文書番号を付与して、この文書番号と受信したカラー画像データをお互いに対応付けてハードディスク２１に記憶する。
【００５５】
また、もう１つの画像データ入力形態としては、判断Ｓ１０２におけるスキャナ１８による原稿読み取りによる形態がある。
【００５６】
判断Ｓ１０１において、受信した場合には（判断Ｓ１０１のＹｅｓ）、画像データを受信してハードディスク２１に記憶した上で（処理Ｓ１０３）、判断Ｓ１０５に移行する。
【００５７】
判断Ｓ１０２において原稿がセットされた場合には（判断Ｓ１０２のＹｅｓ）、原稿を読み取って画像データを取得してハードディスク２１に記憶した上で（処理Ｓ１０４）、判断Ｓ１０５に移行する。
【００５８】
判断Ｓ１０５では、入力された画像データがカラー画像データであるか否かを判断し（判断Ｓ１０５）、モノクロ画像データである場合には（判断Ｓ１０５のＮｏ）、通常のモノクロ画像データ対応処理を行う（処理Ｓ１０６）。
【００５９】
判断Ｓ１０５においてカラー画像データである場合には（判断Ｓ１０５のＹｅｓ）、本発明に特徴的な処理を行う。
【００６０】
つまり、カラー画像データ識別情報生成処理を行い（処理Ｓ１０７）、その生成したカラー画像データ識別情報を、入力された（ハードディスク２１に既に記憶されている）処理対象カラー画像データと対応付けてハードディスク２１に記憶する（処理Ｓ１０８）。
【００６１】
そして、入力された処理対象画像データから処理対象モノクロ画像データを生成する（処理Ｓ１０９）。例えば、Ｇ３ＦＡＸ通信により受信したカラー画像データはＪＰＥＧ（ＩＴＵ−Ｔ勧告Ｔ．８１、ＩＳＯ／ＩＥＣ  １０９１８−１）で符号化されているため、ＪＰＥＧで復号化した後に各画素について輝度成分データのみを抽出してモノクロ画像データを生成する。
【００６２】
そして、その生成したモノクロ画像データに、処理Ｓ１０７で生成したカラー画像データ識別情報を所定の形態（詳細後述）で付加して記録媒体の１つである記録紙に印刷（プリント）する処理を行い（処理Ｓ１１０）、処理を終了する。
【００６３】
これにより、入力されたカラー画像データは、必ず、モノクロプリント出力されるため、その分、カラートナー、カラーインク、カラーインクリボンなど（プリントエンジン２０の印刷方式による）を節約でき、運用コストの低減を図れる。
【００６４】
入力されたカラー画像データをユーザからの指示操作入力なしに自動的にモノクロプリントしてしまってそれっきりであった場合、大抵の場合は、カラー画像データをモノクロプリントしても内容の確認は十分に行え支障はなく、カラーの広告ファクスや迷惑ファクスをカラープリントしてしまうことによるコスト負担の増大の防止の利点のほうが大きい。また、カラー原稿をカラーのまま複写するのではなく、モノクロ複写で済ませると共に、複写時に読み取ったカラー画像データを記憶・蓄積しておいて後で再利用可能な形態の複写動作に対応可能となり、普段はモノクロ複写で済ませることができる分、コスト負担の増大を防止できる利点がある。
【００６５】
しかし希に、モノクロプリントされたカラー画像データを元のカラー画像として見て確認したいとユーザが所望する場合もあり、その場合に対応できないと、ユーザの要求に十分応えた画像処理装置とはいえない。
【００６６】
そこで、画像処理装置１では、図２に示した画像データ入力対応処理に対応して、図３に示す、カラー画像データ出力処理を行う。
【００６７】
図３において、原稿がスキャナ１８にセットされるのを監視し（判断Ｓ２０１のＮｏのループ）、セットされると（判断Ｓ２０１のＹｅｓ）、そのセットされた原稿を読み取ってモノクロ画像データを取得する（処理Ｓ２０２）。なお、処理Ｓ２０２では、原稿をカラー読み取りして後処理によりモノクロ画像データを取得してもよいし、原稿を直接モノクロ読み取りしてモノクロ画像データを取得してもよい。
【００６８】
そして、取得したモノクロ画像データに対して、カラー画像データ識別情報抽出処理を行い（処理Ｓ２０３）、抽出したカラー画像データ識別情報に対応するカラー画像データをハードディスク２１から読み出し、その読み出したカラー画像データを可視出力する処理を行う（処理Ｓ２０５）。
【００６９】
以上の処理により、モノクロプリントされたカラー画像データを元のカラー画像として見て確認したいとユーザが所望する場合に対応でき、しかも、ユーザにとっては、元のカラー画像データに対応する管理番号を覚えておいてそれを指定して出力させるような煩雑な操作入力に代えて、スキャナ１８により送信原稿や複写原稿を読み取らせるのと同様の非常に簡単な操作で済み、経済性、操作性共に優れたカラー画像対応の画像処理装置を実現できる。
【００７０】
図４に、図２の画像データ入力対応処理の処理Ｓ１０７のカラー画像データ識別情報生成処理の具体的な処理手順について示す。
【００７１】
図４において、カラー画像データ識別情報として文書番号を生成する（処理Ｓ２５０）。その文書番号は、例えば４桁の数字列「００９９」や「ABCDE」等の記号列であってもよく、記号と数字の混合であってもよく、要するに、ハードディスク２１に記憶される各カラー画像データを互いに識別できる、重複しない情報であればよい。
【００７２】
図４の処理手順を、図２の処理Ｓ１０７として適用した場合における、処理Ｓ１１０の具体的な処理手順としては、図５（ａ）、（ｂ）または（ｃ）のいずれかの手順を適用できる。
【００７３】
また、処理Ｓ１１０の具体的な処理手順として図５（ａ）、（ｂ）または（ｃ）のいずれかの手順を適用した場合、対応して、図３の処理Ｓ２０３の具体的な処理手順として図６（ａ）、（ｂ）または（ｃ）のいずれかの手順を適用できる。
【００７４】
図５（ａ）の手順（処理Ｓ１１０）においては、文書番号を内容として含むバーコード
画像データを作成し（処理Ｓ３０１）、その作成したバーコード画像データを、メインメモリ１１に展開されている処理対象モノクロ画像データと合成して（処理Ｓ３０２）、その合成後の画像データをプリントエンジン２０により記録紙にプリント出力する（処理Ｓ３０３）。
【００７５】
処理Ｓ３０１におけるバーコード画像データの生成は、ＮＷ７（ＪＩＳ−Ｘ−０５０３）の仕様に従って行う。また、処理Ｓ３０２におけるバーコード画像の合成は、プリントした記録紙上において、図８に示すように、バーコード画像Ｂcode１が記録紙の左上部分であって、記録紙の左上角から右方向に１０ｍｍ、下方向に１０ｍｍの位置から記録されるように合成する。なお、バーコードの付加位置は、プリント対象のモノクロ画像データの内容と重ならない位置であれば、例えば、記録紙の右上角、右下角、左下角等であってもよい。
【００７６】
図５（ａ）の手順（処理Ｓ１１０）に対応する、図６（ａ）の手順（処理Ｓ２０３）においては、
先ず、モノクロ画像データ中のバーコード画像データを特定する（処理Ｓ４０１）。なお、このバーコード画像の記録位置は記録紙の左上角から右方向に１０ｍｍ、下方向に１０ｍｍの位置であることが予め分かっているため、バーコード画像データの記録位置の特定は容易に行える。具体的には、スキャナ１８の読み取り密度が２００ｄｐｉ（dot per inch）の場合、読み取った画素データの左上角から右方向と下方向にそれぞれ７５画素目からバーコードデータの認識を行う。
【００７７】
なお、バーコードデータの認識開始位置は、記録紙への記録位置の誤差とスキャナ１８の読み取り位置の誤差を考慮している。このバーコード画像の認識方法は、例えば、特開平１１−１６４１１４号公報に記載された方法を使用し、このコードパターンをデコードしてそれが表しているカラー画像データ識別情報、つまり、文書番号を抽出する（処理Ｓ４０２）。それにより、文書番号に対応してハードディスク２１に記憶されている対応するカラー画像データの特定もおこなえることになる。
【００７８】
図５（ｂ）の手順（処理Ｓ１１０）においては、文書番号を内容として含む２次元コード画像データを作成し（処理Ｓ３１１）、その作成した２次元コード画像データを、メインメモリ１１に展開されている処理対象モノクロ画像データと合成して（処理Ｓ３１２）、その合成後の画像データをプリントエンジン２０により記録紙にプリント出力する（処理Ｓ３１３）。
【００７９】
処理Ｓ３１１における２次元コード画像データの生成は、ＱＲコード（ＪＩＳ−Ｘ−０５１０、ISO/IEC 18004）の仕様に従って行う。また、処理Ｓ３１２における２次元コード画像の合成は、プリントした記録紙上において、図９に示すように、２次元コード画像Ｂcode２が記録紙の左上部分であって、記録紙の左上角から右方向に１０ｍｍ、下方向に１０ｍｍの位置から記録されるように合成する。なお、２次元コードの付加位置は、プリント対象のモノクロ画像データの内容と重ならない位置であれば、例えば、記録紙の右上角、右下角、左下角等であってもよい。
【００８０】
図５（ｂ）の手順（処理Ｓ１１０）に対応する、図６（ｂ）の手順（処理Ｓ２０３）においては、先ず、モノクロ画像データ中の２次元コード画像データを特定する（処理Ｓ４１１）。なお、この２次元コード画像の記録位置は記録紙の左上角から右方向に１０ｍｍ、下方向に１０ｍｍの位置であることが予め分かっているため、２次元コード画像データの記録位置の特定は容易に行える。具体的には、スキャナ１８の読み取り密度が２００ｄｐｉ（dot per inch）の場合、読み取った画素データの左上角から右方向と下方向にそれぞれ７５画素目から２次元コードデータの認識を行う。
【００８１】
なお、２次元コードデータの認識開始位置は、記録紙への記録位置の誤差とスキャナ１８の読み取り位置の誤差を考慮している。この２次元コード画像の認識方法は、例えば、特開2001-256425号公報に記載された方法を使用し、このコードパターンをデコードしてそれが表しているカラー画像データ識別情報、つまり、文書番号を抽出する（処理Ｓ４１２）。それにより、文書番号に対応してハードディスク２１に記憶されている対応するカラー画像データの特定もおこなえることになる。
【００８２】
図５（ｃ）の手順（処理Ｓ１１０）においては、文書番号を電子透かしデータとしてメインメモリ１１に展開されている処理対象モノクロ画像データと合成して（処理Ｓ３２１）、その合成後の画像データをプリントエンジン２０により記録紙にプリント出力する（処理Ｓ３２２）。
【００８３】
処理Ｓ３２１における電子透かしデータの合成は、
例えば、特開2003-338924に記載された方法を用いる。すなわち、モノクロ画像データから文字領域を抽出して、この文字領域に対して電子透かしデータを埋め込む。
【００８４】
図５（ｃ）の手順（処理Ｓ１１０）に対応する、図６（ｃ）の手順（処理Ｓ２０３）においては、先ず、モノクロ画像データ中から電子透かしデータを抽出して（処理Ｓ４２１）、そのデータが表しているカラー画像データ識別情報、つまり、文書番号を抽出する（処理Ｓ４２２）。それにより、文書番号に対応してハードディスク２１に記憶されている対応するカラー画像データの特定もおこなえることになる。
【００８５】
このように、プリント出力するモノクロ画像データに対する、カラー画像データ識別情報の付加・認識抽出形態として種々の形態を適用でき、上記した以外にも、文書番号を文字としてモノクロ画像データと共に記録紙上の所定位置にプリントして付加し、文字認識により文書番号を抽出したりすることも考えられ、また、低コスト化さえ実現されれば、記録紙に埋め込まれたＩＣタグへの文書番号の書込・読み出しによる方法や、磁気的な書込・読み出しの方法の適用も可能ではある。
【００８６】
次に、図３のカラー画像データ出力処理における処理Ｓ２０５のカラー画像データ可視出力処理の具体的な処理手順について説明する。
【００８７】
処理Ｓ２０５としては、図７（ａ）または（ｂ）のいずれかを適用可能である。
【００８８】
つまり、図７（ａ）の手順（処理Ｓ２０５）においては、カラー画像データを表示出力する（処理Ｓ５０１）。具体的には、ＬＣＤ２４にカラー表示する。
【００８９】
それにより、ユーザは、簡単な操作により、プリントされたモノクロ画像データの元のカラー画像データをカラーで視認できる。
【００９０】
また、図７（ｂ）の手順（処理Ｓ２０５）においては、カラー画像データをプリント出力する（処理Ｓ５１１）。具体的には、プリントエンジン２０によりカラープリントする。
【００９１】
それにより、ユーザは、簡単な操作により、プリントされたモノクロ画像データの元のカラー画像データをカラーで視認できる。
【００９２】
なお、図７（ａ）の手順で表示して、カラープリント指示があった場合に初めてカラープリントするように構成して、無駄なカラープリント動作の発生をできるだけ抑えるそうにすることも考えられる。その場合、ユーザは、カラー表示で確認して満足すればそのまま操作を終了し、カラープリントして更に詳細に確認したり保存したい場合にはカラープリント指示操作を行うようにする。
【００９３】
さて、図２に示した画像データ入力対応処理と、図３に示したカラー画像出力処理との組合せにより、入力されたカラー画像データを基本的には自動的にモノクロプリント出力してプリントコストの低減を図る一方、ユーザの必要に応じて、最小限の操作で元のカラー画像データを、表示やプリントによる可視出力にも対応できるようにしたが、図２，図３の各手順の組み合わせでは、カラー画像データ識別情報をプリント出力するモノクロ画像データへ付加及び抽出する処理が必要であったが、その付加及び抽出の手順を省いて同様の効果を得ることもできる。
【００９４】
つまり、図２に示した手順に代えて図１０に示す手順を行うと共に、図３に示した手順に代えて、図１１に示す手順を行う。
【００９５】
先ず、図１０に示す画像データ入力対応処理手順において、先ず、モノクロまたはカラーの画像データの入力を監視する。具体的には、画像データが受信されるか、または、原稿がスキャナ１８にセットされるかを監視する（判断Ｓ６０１のＮｏ、判断Ｓ６０２のＮｏのループ）
【００９６】
判断Ｓ６０１の受信は、具体的には、Ｇ３ＦＡＸコントローラ２７による、ＰＳＴＮ２００を介したＧ３ファクシミリ通信による受信や、ＬＡＮ３００を介したＩＴＵ−Ｔ勧告Ｔ．３８に基づいたリアルタイムネットワークファクシミリ通信による受信や、ＩＴＵ−Ｔ勧告Ｔ．３７に基づいた電子メール型ネットワークファクシミリ通信による受信や、ＬＡＮ３００を介して接続された他のＰＣ（パーソナルコンピュータ）からのＳＯＡＰプロトコル等によりプリント依頼に係る画像データの受信等があり、要するに、画像処理装置１以外の他装置またはシステムからの画像データの受信一般を意味する。Ｇ３ファクシミリ通信によるカラー画像データの通信については、ＩＴＵ−Ｔ勧告Ｔ．３０  Ａｎｎｅｘ  Ｅに規定されている。
【００９７】
なお、複合機１のＧ３ＦＡＸコントローラ２７がＩＴＵ−Ｔ勧告Ｔ．３０  Ａｎｎｅｘ  Ｅに従ってＧ３ＦＡＸ通信によりカラー画像データを受信すると、ＣＰＵ１０はこの画像データを一意に特定できる文書番号を付与して、この文書番号と受信したカラー画像データをお互いに対応付けてハードディスク２１に記憶する。
【００９８】
また、もう１つの画像データ入力形態としては、判断Ｓ６０２におけるスキャナ１８による原稿読み取りによる形態がある。
【００９９】
判断Ｓ６０１において、受信した場合には（判断Ｓ６０１のＹｅｓ）、画像データを受信してハードディスク２１に記憶した上で（処理Ｓ６０３）、判断Ｓ６０５に移行する。
【０１００】
判断Ｓ６０２において原稿がセットされた場合には（判断Ｓ６０２のＹｅｓ）、原稿を読み取って画像データを取得してハードディスク２１に記憶した上で（処理Ｓ６０４）、判断Ｓ６０５に移行する。
【０１０１】
判断Ｓ６０５では、入力された画像データがカラー画像データであるか否かを判断し（判断Ｓ６０５）、モノクロ画像データである場合には（判断Ｓ６０５のＮｏ）、通常のモノクロ画像データ対応処理を行う（処理Ｓ６０６）。
【０１０２】
判断Ｓ６０５においてカラー画像データである場合には（判断Ｓ６０５のＹｅｓ）、本発明に特徴的な処理を行う。
【０１０３】
つまり、入力された処理対象カラー画像データから処理対象モノクロ画像データを生成する（処理Ｓ６０７）。そして、その生成したモノクロ画像データそのものまたはその生成したモノクロ画像データから抽出した当該モノクロ画像データの特徴を示す情報である特徴情報を、カラー画像データ識別情報として、入力された（ハードディスク２１に既に記憶されている）カラー画像データと対応付けてハードディスク２１に記憶する（処理Ｓ６０８）。
【０１０４】
そして、生成したモノクロ画像データについては、余分なデータを付加することなく、そのままプリントエンジン２０により記録紙にプリント出力する（処理Ｓ６０９）。
【０１０５】
これにより、入力されたカラー画像データは、必ず、モノクロプリント出力されるため、その分、カラートナー、カラーインク、カラーインクリボンなど（プリントエンジン２０の印刷方式による）を節約でき、運用コストの低減を図れる。
【０１０６】
入力されたカラー画像データをユーザからの指示操作入力なしに自動的にモノクロプリントしてしまってそれっきりであった場合、大抵の場合は、カラー画像データをモノクロプリントしても内容の確認は十分に行え支障はなく、カラーの広告ファクスや迷惑ファクスをカラープリントしてしまうことによるコスト負担の増大の防止の利点のほうが大きい。また、カラー原稿をカラーのまま複写するのではなく、モノクロ複写で済ませると共に、複写時に読み取ったカラー画像データを記憶・蓄積しておいて後で再利用可能な形態の複写動作に対応可能となり、普段はモノクロ複写で済ませることができる分、コスト負担の増大を防止できる利点がある。
【０１０７】
しかし希に、モノクロプリントされたカラー画像データを元のカラー画像として見て確認したいとユーザが所望する場合もあり、その場合に対応できないと、ユーザの要求に十分応えた画像処理装置とはいえない。
【０１０８】
そこで、画像処理装置１では、図１０に示した画像データ入力対応処理に対応して、図１１に示す、カラー画像データ出力処理を行う。
【０１０９】
図１１において、原稿がスキャナ１８にセットされるのを監視し（判断Ｓ７０１のＮｏのループ）、セットされると（判断Ｓ７０１のＹｅｓ）、そのセットされた原稿を読み取ってモノクロ画像データを取得する（処理Ｓ７０２）。なお、処理Ｓ７０２では、原稿をカラー読み取りして後処理によりモノクロ画像データを取得してもよいし、原稿を直接モノクロ読み取りしてモノクロ画像データを取得してもよい。
【０１１０】
そして、取得したモノクロ画像データそのものまたはその取得したモノクロ画像データから抽出した当該モノクロ画像データの特徴を示す情報である特徴情報を、カラー画像データ識別情報として、ハードディスク２１に記憶された各カラー画像データに対応して、図１０の処理Ｓ６０８により記憶されている、カラー画像データ識別情報と照合することで、そのカラー画像データ識別情報に対応するカラー画像データを特定してハードディスク２１から読み出し（処理Ｓ７０３）、その読み出したカラー画像データを可視出力する処理を行う（処理Ｓ７０４）。
【０１１１】
以上の処理により、モノクロプリントされたカラー画像データを元のカラー画像として見て確認したいとユーザが所望する場合に対応でき、しかも、ユーザにとっては、元のカラー画像データに対応する管理番号を覚えておいてそれを指定して出力させるような煩雑な操作入力に代えて、スキャナ１８により送信原稿や複写原稿を読み取らせるのと同様の非常に簡単な操作で済み、経済性、操作性共に優れたカラー画像対応の画像処理装置を実現できる。更に、カラー画像データ識別情報をプリント出力するモノクロ画像データへ付加及び抽出する処理は不要となり、プリント出力されるモノクロ画像データに余計な情報が付加されることがなく、いっそうオリジナルのカラー画像データの内容に忠実なモノクロプリントを行える。
【０１１２】
なお、処理７０３における画像照合方法としては、画像をいくつかの領域に分割して、各領域に含まれる物体を抽出してその属性を比較する方法があり、例えば、特開平１１−３１６８４６に記載された方法を用いることができる。
【０１１３】
なお、処理Ｓ７０４の具体的な処理手順としては、図７（ａ）または（ｂ）のいずれかの手順を適用できる。
【０１１４】
図１に示した構成の複合機１において行った、図２に示したカラー画像データ入力対応処理、及び、図３に示したカラー画像データ出力処理の各処理に対応した処理手順を、図１２に示す画像処理システム１ａにより行うこともできる。
【０１１５】
同図において、画像処理システム１ａは、図１の構成の複合機１と、文書蓄積サーバ４０と、ＰＣ４１とが相互にＬＡＮ３００により接続され、ＬＡＮ３００を介して相互にデータや情報のやりとりを行えるシステム構成となっている。なお、ＰＣ４１の周辺機器である、キーボード、マウス、ディスプレイ等の図示は省略している。
【０１１６】
図１２の画像処理システム１ａにおいて、複合機１は、カラー画像データ記憶用の記憶装置としての自装置のハードディスク２１の代わりとして、文書蓄積サーバ４０が備える大容量データ記憶機能を利用すると共に、カラー画像データ表示用の表示装置としての自装置のＬＣＤ２４の代わりとして、ＰＣ４１が備えるディスプレイを利用して、
図２に示したカラー画像データ入力対応処理、及び、図３に示したカラー画像データ出力処理の各処理に対応した処理手順、つまり、図１３及び図１４にそれぞれ示す処理手順を行おうというものである。
【０１１７】
先ず、図１３に示す画像データ入力対応処理手順において、複合機１は、先ず、モノクロまたはカラーの画像データの入力を監視する。具体的には、画像データが受信されるか、または、原稿がスキャナ１８にセットされるかを監視する（判断Ｓ８０１のＮｏ、判断Ｓ８０２のＮｏのループ）。
【０１１８】
判断Ｓ８０１の受信は、具体的には、Ｇ３ＦＡＸコントローラ２７による、ＰＳＴＮ２００を介したＧ３ファクシミリ通信による受信や、ＬＡＮ３００を介したＩＴＵ−Ｔ勧告Ｔ．３８に基づいたリアルタイムネットワークファクシミリ通信による受信や、ＩＴＵ−Ｔ勧告Ｔ．３７に基づいた電子メール型ネットワークファクシミリ通信による受信や、ＬＡＮ３００を介して接続された他のＰＣ（パーソナルコンピュータ）からのＳＯＡＰプロトコル等によりプリント依頼に係る画像データの受信等があり、要するに、画像処理装置１以外の他装置またはシステムからの画像データの受信一般を意味する。Ｇ３ファクシミリ通信によるカラー画像データの通信については、ＩＴＵ−Ｔ勧告Ｔ．３０  Ａｎｎｅｘ  Ｅに規定されている。
【０１１９】
なお、複合機１のＧ３ＦＡＸコントローラ２７がＩＴＵ−Ｔ勧告Ｔ．３０  Ａｎｎｅｘ  Ｅに従ってＧ３ＦＡＸ通信によりカラー画像データを受信すると、ＣＰＵ１０はこの画像データを一意に特定できる文書番号を付与して、この文書番号と受信したカラー画像データをお互いに対応付けてハードディスク２１に記憶する。
【０１２０】
また、もう１つの画像データ入力形態としては、判断Ｓ８０２におけるスキャナ１８による原稿読み取りによる形態がある。
【０１２１】
判断Ｓ８０１において、受信した場合には（判断Ｓ８０１のＹｅｓ）、画像データを受信してハードディスク２１に記憶した上で（処理Ｓ８０３）、判断Ｓ８０５に移行する。
【０１２２】
判断Ｓ８０２において原稿がセットされた場合には（判断Ｓ８０２のＹｅｓ）、原稿を読み取ってカラー画像データを取得して、また、この画像データを一意に特定できる文書番号を付与して、この文書番号と取得したカラー画像データとをお互いに対応付けてハードディスク２１に記憶した上で（処理Ｓ８０４）、判断Ｓ８０５に移行する。
【０１２３】
判断Ｓ８０５では、入力された画像データがカラー画像データであるか否かを判断し（判断Ｓ８０５）、モノクロ画像データである場合には（判断Ｓ８０５のＮｏ）、通常のモノクロ画像データ対応処理を行う（処理Ｓ８０６）。
【０１２４】
判断Ｓ８０５においてカラー画像データである場合には（判断Ｓ８０５のＹｅｓ）、本発明に特徴的な処理を行う。
【０１２５】
つまり、カラー画像データ識別情報生成処理を行い（処理Ｓ８０７）、このカラー画像データに付与された文書番号を、入力された（ハードディスク２１に既に記憶されている）処理対象カラー画像データと対応付けて、文書蓄積サーバ４０に送信する（処理Ｓ８０８）。送信済みのカラー画像データは、本処理手順が完了し次第、ハードディスク２１から削除してよい。それにより、ハードディスク２１の記憶容量がカラー画像データのために圧迫されることがない利点がある。なお、カラー画像データの文書番号及び対応するカラー画像データを文書蓄積サーバ４０へ送信するためのプロトコルとしては、ＳＯＡＰ（Simple Object Access Protocol）を使用する。
【０１２６】
そして、入力された処理対象カラー画像データから処理対象モノクロ画像データを生成する（処理Ｓ８０９）。例えば、Ｇ３ＦＡＸ通信により受信したカラー画像データはＪＰＥＧ（ＩＴＵ−Ｔ勧告Ｔ．８１、ＩＳＯ／ＩＥＣ  １０９１８−１）で符号化されているため、ＪＰＥＧで復号化した後に各画素について輝度成分データのみを抽出してモノクロ画像データを生成する。
【０１２７】
そして、その生成したモノクロ画像データに、処理Ｓ８０７で生成したカラー画像データ識別情報を所定の形態（詳細後述）で付加して記録媒体の１つである記録紙に印刷（プリント）する処理を行い（処理Ｓ８１０）、処理を終了する。
【０１２８】
一方、文書蓄積サーバ４０においては、複合機１における処理Ｓ８０８に対応して、受信を常に監視していて（判断Ｓ１００１のＮｏのループ）、処理Ｓ８０８に対応して受信されると（判断Ｓ１００１のＹｅｓ）、その受信したカラー画像データの文書番号及びカラー画像データを対応付けて、自装置が文書蓄積サーバとして備える大容量の記憶装置に記憶して（処理Ｓ１００２）、（判断Ｓ１００１）に戻る。
【０１２９】
これにより、入力されたカラー画像データは、必ず、モノクロプリント出力されるため、その分、カラートナー、カラーインク、カラーインクリボンなど（プリントエンジン２０の印刷方式による）を節約でき、運用コストの低減を図れる。
【０１３０】
入力されたカラー画像データをユーザからの指示操作入力なしに自動的にモノクロプリントしてしまってそれっきりであった場合、大抵の場合は、カラー画像データをモノクロプリントしても内容の確認は十分に行え支障はなく、カラーの広告ファクスや迷惑ファクスをカラープリントしてしまうことによるコスト負担の増大の防止の利点のほうが大きい。また、カラー原稿をカラーのまま複写するのではなく、モノクロ複写で済ませると共に、複写時に読み取ったカラー画像データを記憶・蓄積しておいて後で再利用可能な形態の複写動作に対応可能となり、普段はモノクロ複写で済ませることができる分、コスト負担の増大を防止できる利点がある。
【０１３１】
しかし希に、モノクロプリントされたカラー画像データを元のカラー画像として見て確認したいとユーザが所望する場合もあり、その場合に対応できないと、ユーザの要求に十分応えた画像処理装置とはいえない。
【０１３２】
そこで、画像処理システム１ａでは、図１３に示した画像データ入力対応処理に対応して、図１４に示す、カラー画像データ出力処理を行う。
【０１３３】
図１４において、複合機１は、原稿がスキャナ１８にセットされるのを監視し（判断Ｓ９０１のＮｏのループ）、セットされると（判断Ｓ９０１のＹｅｓ）、そのセットされた原稿を読み取ってモノクロ画像データを取得する（処理Ｓ９０２）。なお、処理Ｓ９０２では、原稿をカラー読み取りして後処理によりモノクロ画像データを取得してもよいし、原稿を直接モノクロ読み取りしてモノクロ画像データを取得してもよい。
【０１３４】
そして、取得したモノクロ画像データに対して、カラー画像データ識別情報抽出処理を行い（処理Ｓ９０３）、更に、出力先を指示する操作入力を判断する（判断Ｓ９０４）。
【０１３５】
判断Ｓ９０４において、指示された出力先が「プリント」、つまり、自装置のプリントエンジン２０を用いた記録紙へのプリント出力であった場合には、処理Ｓ９０３により抽出したカラー画像データ識別情報に対応するカラー画像データの送信依頼を、文書番号と送信宛先情報を含めて文書蓄積サーバ４０に対して行う（処理Ｓ９０５）。その場合、送信宛先を自装置（複合機１）とする。その場合の宛先の指定は、文書蓄積サーバ４０がネットワークとしてのＬＡＮ３００上において複合機１を識別できる情報であればよく、ＩＰアドレスでよい。またはホスト名であってもよく、その場合には、文書蓄積サーバ４０は、所定のＤＮＳ（Domain Name System）サーバ（図示は省略）にアクセスしてアドレス解決を行い、対応する送信先ＩＰアドレスを得る。
【０１３６】
一方、文書蓄積サーバ４０においては、複合機１側の処理Ｓ９０５による送信依頼を監視していて（判断Ｓ１１０１のＮｏのループ）、送信依頼があると（判断Ｓ１１０１のＹｅｓ）、通知されたカラー画像データの文書番号に対応して記憶していたカラー画像データを読み出して、指定された宛先（この場合複合機１）へ送信して（処理Ｓ１１０２）、（判断Ｓ１１０１に戻る）。
【０１３７】
複合機１は、処理９０６により、サーバ４０側の処理Ｓ１１０２により送信されてきたカラー画像データを自装置のプリントエンジン２０によるプリント出力により可視出力する（処理Ｓ９０６）。
【０１３８】
複合機１における判断９０４において、指定された出力先が「ＰＣ」である場合には、処理Ｓ９０３により抽出したカラー画像データ識別情報に対応するカラー画像データの送信依頼を、文書蓄積サーバ４０に対して行う（処理Ｓ９０７）。その場合、送信宛先を「ＰＣ」とする。その場合の宛先の指定は、予め「ＰＣ」の宛先ＩＰアドレスとしてＰＣ４１のものを登録しておいて、その登録しておいた「ＰＣ」の宛先に送信依頼するようにしてもよいし、宛先指定の際に宛先ＩＰアドレスをその都度入力させるようにしてもよい。もちろん送信宛先の「ＰＣ」の指定は、ホスト名による指定でもよく、その場合には、文書蓄積サーバ４０は、所定のＤＮＳ（Domain Name System）サーバ（図示は省略）にアクセスしてアドレス解決を行い、対応する送信先ＩＰアドレスを得る。
【０１３９】
一方、文書蓄積サーバ４０においては、複合機１側の処理Ｓ９０７（または処理Ｓ９０５）による送信依頼を監視していて（判断Ｓ１１０１のＮｏのループ）、送信依頼があると（判断Ｓ１１０１のＹｅｓ）、通知されたカラー画像データの文書番号に対応して記憶していたカラー画像データを読み出して、指定された宛先（この場合ＰＣ４１）へ送信して（処理Ｓ１１０２）、判断Ｓ１１０１に戻る。
【０１４０】
一方、ＰＣ４１では、サーバ４０における処理１１０２により送信されてくるカラー画像データの受信を監視していて（判断Ｓ１２０１のＮｏのループ）、受信すると（判断Ｓ１２０１のＹｅｓ）、その受信したカラー画像データを自装置のディスプレイモニタに表示する（処理Ｓ１２０２）。
【０１４１】
このように、複合機１がＬＡＮ３００を介して接続された文書蓄積サーバ４０やＰＣ４１のリソースを有効活用することで、複合機１が備える記憶能力や表示能力に制限されない利便性の高い画像処理システムを構築できる。
【０１４２】
図１に示した構成の複合機１における図２及び図３に示した処理手順を、応用して、図１２に示した画像処理システム１ａにおいて、図１３及び図１４に示した処理手順を行うのと同様に、図１に示した構成の複合機１における図１０及び図１１に示した処理手順についても同様の応用が可能であるのは、以上の説明から明らかである。
【０１４３】
つまり、複合機１のカラー画像データ蓄積機能を文書蓄積サーバ４０に分担させる一方、カラー画像データ表示機能をＰＣ４１に分担させた上で、図１０及び図１１に示した処理手順と同様の手順を図１２に示した画像処理システム１ａにおいて実行可能である。
【０１４４】
また、図１に示した構成の複合機１における、図２及び図３に示した処理手順、並びに、図１０及び図１１に示した処理手順を、図１５に示す画像処理システム１ｂに応用して実行することも可能である。
【０１４５】
図１５の画像処理システム１ｂは、スキャナ装置５１、プリンタ装置５２、及び、ＰＣ５０がネットワークであるＬＡＮ３００を介して接続されて構成されるシステムである。
なお、ＰＣ５０の周辺機器である、キーボード、マウス、ディスプレイ等の図示は省略している。ＰＣ５０はＰＣ−ＡＴ（The Personal Computer for Advanced Technologies）アーキテクチャ（ＩＢＭ社が１９８４年に発表）のコンピュータであり、これには電話回線を介したＧ３ＦＡＸ通信を行うためのＦＡＸボードがＰＣＩハ゛スに接続するように装着されている（図示略）。そのファクスボードは、ＰＳＴＮ２００に接続されている。
【０１４６】
以上の構成の画像処理システム１ｂは、ＰＣ５０を中心として、図１の複合機１が備える、カラー画像データ受信機能（ＰＳＴＮ２００経由）、カラーまたはモノクロ画像データ読み取り機能（スキャナ装置５１）、モノクロまたはカラー画像データプリント機能（プリンタ装置５２）、カラー画像データ表示機能（ＰＣ５０のディスプレイモニタ）、操作入力機能等、を備えており、ＰＣ５０がパーソナルコンピュータとして本来備えるハードディスクなどの記憶装置や情報処理機能と、ソフトウェアにより実現される機能との組合せにより、複合機１と同等の機能を備えているといえる。スキャナ装置５１からＰＣ５０への画像データの取り込みや、プリンタ装置５２へのプリント依頼に係る画像データの転送はＬＡＮ３００を介した、所定のプロトコルによるアプリケーション制御により可能であるため、ＰＣ５０上のアプリケーションプログラム制御により、図１に示した構成の複合機１における、図２及び図３に示した処理手順、並びに、図１０及び図１１に示した処理手順と同等の手順を、図１５に示す画像処理システム１ｂにより実行することができるのは明らかである。
【０１４７】
以上説明したように、本発明を実施するための最良の形態によれば、画像処理装置としての複合機１や、画像処理システム１ａ、１ｂに入力されるカラー画像データをモノクロプリント出力することで運用コストを低減でき、また、元のカラー画像データを見て確認したいというユーザの要望にも、最小限の操作の手間で応じることができる、経済的でかつ利便性の高い画像処理装置及び画像処理システムを実現できる。
【０１４８】
なお、以上本発明を実施するための最良の形態について説明したが、本発明は上記のものに限定されるものではなく、その要旨を逸脱しない範囲で種々変更可能であることはいうまでもない。
【図面の簡単な説明】
【０１４９】
【図１】本発明を実施するための最良の形態に係る画像処理装置としての複合機のブロック構成について示す図である。
【図２】図１の複合機における画像データ入力対応処理手順について示すフローチャートである。
【図３】図１の複合機におけるカラー画像データ出力処理手順について示すフローチャートである。
【図４】カラー画像データ識別情報生成処理の具体的な処理手順について示すフローチャートである。
【図５】カラー画像データ識別情報付加印刷処理の３通りの具体的な処理手順について示すフローチャートである。
【図６】カラー画像データ識別情報抽出処理の３通りの具体的な処理手順について示すフローチャートである。
【図７】カラー画像データ可視出力処理の２通りの具体的な処理手順について示すフローチャートである。
【図８】バーコードが付加されてプリント出力されたモノクロ画像データ例について示す図である。
【図９】２次元コードが付加されてプリント出力されたモノクロ画像データ例について示す図である。
【図１０】図１の複合機における画像データ入力対応処理手順の別例について示すフローチャートである。
【図１１】図１の複合機におけるカラー画像データ出力処理手順の別例について示すフローチャートである。
【図１２】本発明を実施するための最良の形態に係る画像処理システムの構成について示す図である。
【図１３】図１２の画像処理システムにおける画像データ入力対応処理手順の別例について示すフローチャートである。
【図１４】図１２の画像処理システムにおけるカラー画像データ出力処理手順の別例について示すフローチャートである。
【図１５】本発明を実施するための最良の形態に係る画像処理システムの別の構成例について示す図である。
【符号の説明】
【０１５０】
１  複合機（画像処理装置）
１ａ  画像処理システム
１ｂ  画像処理システム
【図１】
2006217545.tif 000003
【図２】
2006217545.tif 000004
【図３】
2006217545.tif 000005
【図４】
2006217545.tif 000006
【図５】
2006217545.tif 000007
【図６】
2006217545.tif 000008
【図７】
2006217545.tif 000009
【図８】
2006217545.tif 000010
【図９】
2006217545.tif 000011
【図１０】
2006217545.tif 000012
【図１１】
2006217545.tif 000013
【図１２】
2006217545.tif 000014
【図１３】
2006217545.tif 000015
【図１４】
2006217545.tif 000016
【図１５】
2006217545.tif 000017